(57)【要約】【課題】住宅ユニットの床パネル又は壁パネルを組立てる際に、墨出作業を手作業によることなく迅速かつ精度良く行って、床パネルや壁パネルを効率良く組立てて行くことを可能にする住宅ユニットの墨出組立方法を提供する。【解決手段】住宅ユニット１０の床パネル１１又は壁パネル１２を組立てる際の墨出組立方法であって、住宅ユニット１１の組立作業台１３に対向させた状態で、複数のレーザー投光器１５を墨出し間隔に応じた所定の間隔をおいて並べて配置し、各レーザー投光器１５から組立作業台１３又は組立中の住宅ユニット１０に向けて照射されるレーザー光Ｌによる直線状のライン１６を墨出線として、床パネル１１又は壁パネル１２を組立てる。また墨出装置１７は、梁状に配置されるレーザー基台部１８と、レーザー基台部１８を支持する支柱部材１９と、レーザー基台部１８に並べて取付けられる複数のレーザー投光器１５とからなる。【選択図】　　　　図１
2004125438.tif 000002
【特許請求の範囲】
【請求項１】
住宅ユニットの床パネル又は壁パネルを組立てる際の墨出組立方法であって、
住宅ユニットの組立作業台に対向させた状態で、複数のレーザー投光器を墨出し間隔に応じた所定の間隔をおいて並べて配置し、
各レーザー投光器から前記組立作業台又は組立中の住宅ユニットに向けて照射されるレーザー光による直線状のラインを墨出線として、床パネル又は壁パネルを組立てることを特徴とする住宅ユニットの墨出組立方法。
【請求項２】
前記組立作業台は、並べて配置された前記複数のレーザー投光器と対向する位置に順次入れ替わり移動搬送されて位置決めされた後に、各レーザー投光器からレーザー光が照射されて床パネル又は壁パネルが組立てられる請求項１に記載の住宅ユニットの墨出組立方法。
【請求項３】
請求項１又は２に記載の住宅ユニットの墨出組立方法に用いる墨出装置であって、
横方向に梁状に配置されるレーザー基台部と、前記組立作業台又は組立中の住宅ユニットに向けてレーザー投光器からレーザー光を照射するのに適した高さに前記レーザー基台部が配置されるように支持する支柱部材と、前記レーザー基台部に並べて取付けられる前記複数のレーザー投光器とからなることを特徴とする墨出装置。
【請求項４】
前記レーザー基台部に取付けられた前記複数のレーザー投光器間の間隔を保持したまま、これらのレーザー投光器を前記レーザ基台部に沿って一体としてスライドさせるスライド移動手段を備える請求項３に記載の墨出装置。
【発明の詳細な説明】
【０００１】
【発明の属する技術分野】
本発明は、住宅ユニットの床パネル又は壁パネルを組立てる際に用いる住宅ユニットの墨出組立方法及び墨出装置に関する。
【０００２】
【従来の技術】
近年、住宅建築物の施工の迅速化や高精度化を図るべく、予め工場等で形成された複数の住宅ユニットを建築施工現場で組立てて構築するユニット住宅が開発されている。このようなユニット住宅を構成する住宅ユニットは、土台、根太、大引き等からなる床枠組に床下地材等の床用面材を取付けてなる床パネルと、床パネルの周縁部から立設配置される、柱、間柱、下枠、縦枠、上枠等からなる壁枠組みに壁下地材や防水シート等の壁用面材を取付けてなる壁パネルとによって構成されるものが一般的であり、さらに天井パネルや天井枠組が取付けられる場合もある。
【０００３】
また、住宅ユニットは、一般に矩形の平面形状を有しており、住宅ユニットの生産ラインにおいて、台車としての機能をも備える組立作業台上で床パネルや壁パネル等の組立作業が行われ、組立てた住宅ユニットは、組立作業台と共に例えば工場内の敷地を移動搬送できるようになっている。また先行して組立てた床パネルを組立作業台として、壁パネル等の組立作業が行われる場合もある。
【０００４】
【特許文献１】
特開２００１−７４４６０号公報（第２−６頁）
上記文献には、十字照射型レーザービームを照射して、天井面に天井開口又は設置中心の墨を印すことが記載されている。
【０００５】
【発明が解決しようとする課題】
このような住宅ユニットの組立作業においては、特に床用面材や壁用面材を敷設してこれらを床枠組や壁枠組みに固定する際に、固定用のビスや釘を打ち込むためのラインを墨出する必要があり、このような墨出作業に多くの手間を要していた。すなわち、従来の墨出作業は、墨壺やチョークラインといったものを使用して行っていたが、墨出位置を定規等を用いてその都度確認する必要があるため時間がかかることになる。また墨出位置の両端部分に各々作業員を配置する必要があって作業効率が悪くなると共に、作業中は墨壺等の治工具で両手が塞がれてしまうため、特に壁パネルを施工する際に高所作業となった場合には、墨出作業が困難になる。さらに、手作業で墨出が行われることになるため、精度の良い墨出ラインを得るためには高度の熟練を要することになると共に、間違えやズレが発生しやすく、品質にバラツキを生じることになる。
【０００６】
本発明は、このような従来の課題に着目してなされたものであり、住宅ユニットの床パネル又は壁パネルを組立てる際に、墨出作業を手作業によることなく迅速かつ精度良く行って、床パネルや壁パネルを効率良く組立てて行くことを可能にする住宅ユニットの墨出組立方法及び墨出装置を提供することを目的とする。
【０００７】
【課題を解決するための手段】
本発明は、住宅ユニットの床パネル又は壁パネルを組立てる際の墨出組立方法であって、住宅ユニットの組立作業台に対向させた状態で、複数のレーザー投光器を墨出し間隔に応じた所定の間隔をおいて並べて配置し、各レーザー投光器から前記組立作業台又は組立中の住宅ユニットに向けて照射されるレーザー光による直線状のラインを墨出線として、床パネル又は壁パネルを組立てることを特徴とする住宅ユニットの墨出組立方法を提供することにより、上記目的を達成したものである（請求項１記載の発明）。
【０００８】
そして、本発明の住宅ユニットの墨出組立方法によれば、前記組立作業台は、並べて配置された前記複数のレーザー投光器と対向する位置に順次入れ替わり移動搬送されて位置決めされた後に、各レーザー投光器からレーザー光が照射されて床パネル又は壁パネルが組立てられることが好ましい（請求項２記載の発明）。
【０００９】
また、本発明は、上記住宅ユニットの墨出組立方法に用いる墨出装置であって、横方向に梁状に配置されるレーザー基台部と、前記組立作業台又は組立中の住宅ユニットに向けてレーザー投光器からレーザー光を照射するのに適した高さに前記レーザー基台部が配置されるように支持する支柱部材と、前記レーザー基台部に並べて取付けられる前記複数のレーザー投光器とからなることを特徴とする墨出装置を提供することにより、上記目的を達成したものである（請求項３記載の発明）。
【００１０】
そして、本発明の墨出装置によれば、前記レーザー基台部に取付けられた前記複数のレーザー投光器間の間隔を保持したまま、これらのレーザー投光器を前記レーザ基台部に沿って一体としてスライドさせるスライド移動手段を備えていることが好ましい（請求項４記載の発明）。
【００１１】
【発明の実施の形態】
以下本発明の好ましい実施形態を添付図面を参照しつつ詳細に説明する。本実施形態の住宅ユニットの墨出組立方法は、図１（ａ）及び（ｂ）に示すように、例えば枠組壁工法による住宅ユニット１０を予め工場等において組立てる際に採用されたものである。
【００１２】
すなわち、本実施形態の住宅ユニットの墨出組立方法は、住宅ユニット１０の床パネル１１又は壁パネル１２を墨出を行いながら組立てて行くための方法であって、住宅ユニット１０の組立作業台１３の一辺部１４に対向させた状態で、複数のレーザー投光器１５を墨出し間隔に応じた所定の間隔をおいて並べて配置し、各レーザー投光器１５から組立作業台１３又は組立中の住宅ユニット１０に向けて照射されるレーザー光Ｌによる直線状のライン１６を墨出線として、床パネル１１又は壁パネル１２を組立てるものである。
【００１３】
また、本実施形態によれば、組立作業台１３は、例えば工場内の所定の作業スペースに並べて配置された複数のレーザー投光器１５と対向する位置にその一辺部１４が配設されるように、順次入れ替わり移動搬送されて位置決めされた後に、各レーザー投光器１５からレーザー光Ｌが照射されて床パネル１１又は壁パネル１２が組立てられることになる。
【００１４】
そして、本実施形態によれば、レーザー光による直線状のライン１６を墨出線として照射する墨出装置１７は、例えば工場内における住宅ユニット１０の組立作業スペースに設置されるものであり、図２（ａ）及び（ｂ）にも示すように、横方向に梁状に配置されるレーザー基台部１８と、組立作業台１３又は組立中の住宅ユニット１０に向けてレーザー投光器１５からレーザー光Ｌを照射するのに適した高さにレーザー基台部１８が配置されるように当該レーザー基台部１８を支持する一対の支柱部材１９と、レーザー基台部１８に並べて取付けられる複数のレーザー投光器１５とによって構成されている。
【００１５】
墨出装置１７を構成するレーザー投光器１５としては、例えば可視光半導体レーザーを備える公知の各種のレーザー照射器を用いることができ、こられのレーザー照射器は、レーザー光Ｌを極細の直線状のスリット光として被照射体に照射することが可能な機能を有している。レーザー投光器１５は、例えば図４に示すような円筒形状を有していて、専用の固定架台２０を介して、各々レーザ基台部１８に取付けられている。
【００１６】
レーザ基台部１８は、平面が矩形形状の住宅ユニット１０の長手方向の長さよりも長い例えば６０００ｍｍ程度の長さを備えていると共に、略水平方向に梁状に配置されており、これによって墨出装置１７は、住宅ユニット１０の長手方向の辺（面）にレーザー投光器１５が対向する場合にも、その全体に亘って一度に墨出しを行うことができるようになっている。またレーザ基台部１９は、図２（ａ）及び（ｂ）に示すように、これの下方部分に配置されて梁の本体部分を形成する基台フレーム部２１と、この基台フレーム部２１の上面側にセットブラケット２２を介して取付けられる投光器スライド機構部２３とによって構成されている。
【００１７】
投光器スライド機構部２３は、基台フレーム部２１の上面側に重ねるようにして固定される固定フレーム２４と、固定フレーム２４の上面側に当該固定フレーム２４に対してスライド移動可能に取付けられるスライドフレーム２５とからなり、スライドフレーム２５は、スライドガイド２７によって案内されて、スライド駆動部２６からの駆動により固定フレーム２４に沿ってスライド移動することができるようになっている。ここで、固定フレーム２４とスライドフレーム２５とからなる投光器スライド機構部２３と、スライド駆動部２６は、レーザー基台部１８に取付けられた複数のレーザー投光器１５間の間隔を保持したまま、これらのレーザー投光器１５をレーザ基台部１８に沿って一体としてスライドさせるスライド移動手段を構成することになる。なお、スライド駆動部２６は、連結シャフト２８を介して当該スライド駆動部２６と連結する操作クランプ３０の回転ハンドル部２９の操作によって駆動されることになる。
【００１８】
また、スライドフレーム２５には、予め定められた墨出間隔として例えば床パネル１１の根太３１や壁パネル１２の縦枠３２（図１（ａ），（ｂ）参照）の配設ピッチに相当する、例えば４８０ｍｍのピッチで複数（本実施形態では１３台）のレーザー投光器１５が固定架台２０を介して取付けられている。これらのレーザー投光器１５は、上述のスライド移動手段を構成するスライド駆動部２６の駆動により、基台フレーム部２１及び固定フレーム２４に対して一体としてスライド移動し、移動搬送されてレーザー投光器１５と対向するように位置決めされた組立作業台１３に対して、墨出し位置を容易に調整することができるようになっている。なお、スライドフレーム２５における各レーザー投光器１４の取付け位置は、レーザー投光器１４を固定架台２０と共にずらして適宜容易に移動することができ、また墨出間隔に応じてレーザー投光器１４の配設ピッチを適宜容易に変更することができるようになっている。
【００１９】
レーザー基台部１８を支持する一対の支柱部材１９は、例えば３０００ｍｍ程度の長さを有しており、住宅ユニット１０の組立作業スペースの床面（Ｆ．Ｌ）から垂直に立設固定されて、レーザー基台部１８の両端部分を下方から支持している。また、支柱部材１９は、レーザー基台部１８と共に門形形状の枠体を形成し、複数のレーザー投光器１５を強固かつ安定して支持していると共に、図３に示すように、レーザー基台部１８を、組立作業台１３又は組立中の住宅ユニット１０の全体に向けて各レーザー投光器１５からレーザー光Ｌを照射するのに適した、例えば住宅ユニット１０の天端面よりも若干高い位置に保持している。これによって、レーザー基台部１８に取付けられたレーザー投光器１４は、各々水平方向に対して例えば２５〜３５度の角度θの傾きで下方を向くように固定されることにより、床パネル１１又は壁パネル１２の全長に亘って、レーザー光Ｌによる適度な太さの直線状のライン１６を墨出線として照射することができるようになっている。
【００２０】
また、本実施形態によれば、図２（ａ）及び（ｂ）に示すように、一方の支柱部材１９の略中間部分には、作業員が操作しやすい高さに配置されて、操作クランプ３０が設けられており、この操作クランプ３０の回転ハンドル部２９の回転操作によって、スライドフレーム２５を基台フレーム部２１及び固定フレーム２４に沿ってスライド移動させることができるようになっている。すなわち、回転ハンドル部２９は連結シャフト２８を介してスライド駆動部２６に内蔵された例えば歯車・ギア機構と連結しており、例えば回転ハンドル部２９を１回転させることにより、例えば１ｍｍ程度の予め設定された長さ単位で、スライドフレーム２５及びこれに取付けられたレーザー投光器１５を左右に適宜スライド移動させることができるようになっている。またスライド駆動部２６は、指針や目盛板等を備えていて、スライドフレーム２５及びレーザー投光器１５の移動量を精度良く管理することができるようになっている。
【００２１】
そして、本実施形態の墨出組立方法及び墨出装置１７によれば、住宅ユニットの床パネル１１や壁パネル１２を組立ててゆく際に、墨出作業を手作業によることなく迅速かつ精度良く行って、床パネル１１や壁パネル１２を効率良く組立てて行くことが可能になる。すなわち、本実施形態によれば、図１（ａ）及び（ｂ）に示すように、例えば位置決めされた組立作業台１３に対して墨出装置１７の複数のレーザー投光器１５からレーザー光Ｌを照射することによって、手作業によることなく直線状のライン１６を墨出線として組立作業台１３に自動的に描くことができ、このレーザー光Ｌによる直線状のライン１６に沿って根太３１を配置して、床パネル１１を構成する床枠組を迅速かつ容易に組立ててゆくことが可能になる。また、床枠組に床用面材３３を取付ける際には、床枠組の上に床用面材３３を敷設すれば、敷設された床用面材３３の上面には、根太３１が配置された位置に沿ってレーザー光Ｌの照射による直線状のライン１６が墨出線として自動的に描かれることになるので、この直線状のライン１６に沿って固定用のビスや釘を打ち込んでゆくことにより、床用面材３３を床枠組に迅速に固定してゆくことが可能になる。
【００２２】
一方、床パネル１１の縁部から立設配置される壁パネル１２を組立てる際には、例えば複数のレーザー投光器１５から照射されるレーザー光Ｌをガイドとして、縦枠３２を立設状態で所定の位置に配置固定することができ、これによって壁枠組を容易に形成することが可能になると共に、この壁枠組に、壁下地用面材３４、透湿防水シート３５、壁仕上材３６等の壁用面材を取付ける際には、当該壁枠組の外側を覆ってこれらを各々敷設すれば、これらの壁用面材３４，３５，３６の表面には、縦枠３２が配置された位置に沿ってレーザー光Ｌの照射による直線状のライン１６が墨出線として各々自動的に描かれることになるので、壁下地用面材３４、透湿防水シート３５、壁仕上材３６等の壁用面材を、壁枠組に迅速に固定してゆくことが可能になる。
【００２３】
また、本実施形態によれば、例えば図５（ａ）に示すように、壁用面材３８の外側に縦胴縁３７を取付ける際にも、壁用面材３８に自動的に描かれたレーザー光Ｌによる直線状のライン１６をガイドとして、当該縦胴縁３７を所定の位置に容易に固定してゆくことが可能になる。さらに、本実施形態によれば、例えば図５（ｂ）に示すように、壁用面材３８に外部建具３９を取付ける際にも、当該取付作業を、壁用面材３８に描かれたレーザー光Ｌによる直線状のライン１６を基準として位置を決めしつつ行うことができ、これによって基準となるものが開口枠しかなかった従来のものと比較して、外部建具３９を精度良く取付けることが可能になり、例えばサッシ枠が鼓状、太鼓状となるのを効果的に回避することが可能になると共に、シャッターの通りを確認することも可能になる。
【００２４】
したがって、本実施形態によれば、精度の良い墨出線を得るための高度の熟練を要することなく、レーザー投光器１５から照射されるレーザー光Ｌによる直線状のライン１６を墨出線として、且つ間違えやズレ、或いは品質のバラツキや低下を回避しつつ、住宅ユニットの床パネル１１や壁パネル１２を効率良く組立てて行くことが可能になる。
【００２５】
また、本実施形態によれば、墨出装置１７は、複数のレーザー投光器１５をレーザ基台部１８に沿って一体としてスライドさせるスライド移動手段を備えているので、複数のレーザー投光器１５と対向する位置に順次入れ替わり移動搬送されて位置決めされた組立作業台１３が、入れ替わる前の組立作業台１３の位置からずれて設置されている場合でも、このスライド移動手段によってスライドフレーム２５を移動してレーザー投光器１５の基準位置を調整することができ、レーザー光Ｌによる正確な墨出を行って優れた品質の住宅ユニット１０を組立てることが可能になる。
【００２６】
なお、本発明は上記実施形態に限定されることなく種々の変更が可能である。例えば、墨出装置を固定することなく移動可能とし、組立作業台に対向するように適宜移動配置して墨出を行うこともできる。また先行して組立てた床パネルを組立作業台として、壁パネル等の墨出組立作業を行うようにしても良い。さらに、本発明の墨出組立方法によれば、上記実施形態の墨出装置以外の墨出装置を用いて行うこともでき、複数のレーザー投光器を単に架台に並べて設置して墨出作業を行うようにしても良い。さらにまた、本発明の墨出組立方法によれば、複数のレーザー投光器を上下方向や斜め方向に並べて設置して、上下方向に間隔をおいた墨出線や、斜め方向に間隔をおいた墨田線を描くようにすることもできる。
【００２７】
【発明の効果】
本発明の住宅ユニットの墨出組立方法及び墨出装置によれば、住宅ユニットの床パネル又は壁パネルを組立てる際に、墨出作業を手作業によることなく迅速かつ精度良く行って、床パネルや壁パネルを効率良く組立てて行くことができる。
【図面の簡単な説明】
【図１】本発明の一実施形態に係る住宅ユニットの墨出組立方法を説明する、（ａ）は床パネルを組立てる際の略示斜視図、（ｂ）は壁パネルを組立てる際の略示斜視図である。
【図２】本発明の一実施形態に係る墨出装置の（ａ）は正面図、（ｂ）は側面図である。
【図３】レーザー投光器の取付け位置を説明する略示側面図である。
【図４】レーザー投光器の一例を示す斜視図である。
【図５】（ａ）は墨出を行いつつ縦胴縁を取付ける状況を説明する正面図、（ｂ）は墨出を行いつつ外部建具を取付ける状況を説明する正面図である。
【符号の説明】
１０　住宅ユニット
１１　床パネル
１２　壁パネル
１３　組立作業台
１５　レーザー投光器
１６　レーザー光による直線状のライン（墨出線）
１７　墨出装置
１８　レーザー基台部
１９　支柱部材
２１　基台フレーム部
２３　投光器スライド機構部（スライド移動手段）
２４　固定フレーム（スライド移動手段）
２５　スライドフレーム（スライド移動手段）
２６　スライド駆動部（スライド移動手段）
２８　連結シャフト
２９　回転ハンドル部
３１　根太
３２　縦枠
３３　床用面材
３４　壁下地用面材
３５　透湿防水シート
３６　壁仕上材
Ｌ　　レーザー光
【図１】
2004125438.tif 000003
【図２】
2004125438.tif 000004
【図３】
2004125438.tif 000005
【図４】
2004125438.tif 000006
【図５】
2004125438.tif 000007